(57)【要約】【課題】向きを気にすることなく通話ができる通話装置を提供すること。【解決手段】第１集音部、第２集音部のそれぞれで音声が集音され、音量値の比較が行われる。そして、より音量値が大きい音声を集音した方の集音部が判断され、判断された集音部が集音可能に設定される。大きい音声が集音されなかった方の集音部と同じ側にある放音部が放音可能に設定される。【選択図】図１
2011205289.tif 000002
【特許請求の範囲】
【請求項１】
一側面の長手方向における一端側に設けられ、音声を集音する第１集音部と、
前記一側面の長手方向における一端側に設けられ、音声を放音する第１放音部と、
前記一側面の長手方向における他端側に設けられ音声を集音する第２集音部と、
前記一側面の長手方向における他端側に設けられ音声を放音する第２放音部と、
前記第１集音部および第２集音部が集音した前記音声の音量値を記憶する音量値記憶部と、
前記第１集音部と前記第２集音部のうち一方を集音可能に設定する集音設定部と、
前記第１放音部と前記第２放音部のうち一方を放音可能に設定する放音設定部と、
前記集音設定部が前記第１集音部を集音可能に設定し、前記放音設定部が前記第２放音部を放音可能に設定した後、前記第１集音部が集音した前記音声の音量値である第１音量値を、前記音量値記憶部に記憶させるように、制御を実行する第１音量値記憶制御部と、
前記集音設定部が前記第２集音部を集音可能に設定し、前記放音設定部が前記第１放音部を放音可能に設定した後、前記第２集音部が集音した前記音声の音量値である第２音量値を、前記音量値記憶部に記憶させるように、制御を実行する第２音量値記憶制御部と、
前記第音量値記憶部が記憶した第１音量値と、第２音量値はどちらが大きいかを判断する音量値比較部と、
前記音量値比較部が、前記第１音量値の方が前記第２音量値より大きいと判断した場合は、前記集音設定部に前記第１集音部を集音可能に、前記放音設定部に前記第２放音部を放音可能に、設定させる第１設定制御部と、
前記音量値比較部が、前記第２音量値の方が前記第１音量値より大きいと判断した場合は、前記集音設定部に前記第２集音部を集音可能に、前記放音設定部が前記第１放音部を放音可能に、設定させる第２設定制御部、と
を備えたことを特徴とする通話装置。
【請求項２】
第１しきい値を記憶する第１記憶部と、
前記第１音量値と前記第２音量値の差である音量値差を算出する音量値差算出部と、
前記音量値差が前記第１しきい値以上か否かを判断する第１しきい値比較部と、を備え、
前記第１しきい値比較部が、前記音量値差は前記しきい値以上であると判断した場合は、
前記音量値比較部が判断を行うことを特徴とする請求項１に記載の通話装置。
【請求項３】
（前回の通話設定の履歴を読み込む構成）
前記集音設定部が設定した前記第１集音部または前記第２集音部を記憶し、前記放音設定部が設定した第１放音部または第２放音部を記憶する、設定情報記憶部と、
通話が開始すると、前記設定情報記憶部が記憶した前記第１集音部または前記第２集音部を前記集音設定部に設定させ、前記設定情報記憶部が記憶した前記第１放音部または前記第２放音部を前記放音設定部に設定させる、第３設定制御部を備えることを特徴とする請求項１または２に記載の通話装置。
【請求項４】
第２しきい値を記憶する第２記憶部と、
前記第１、または第２、または、第３設定制御部によって前記集音設定部及び前記放音設定部が設定をした後、前記集音設定部が集音可能に設定した前記第１集音部又は前記第２集音部が集音した前記音声の前記音量値である第３音量値が、前記第２しきい値以上か否かを判断する第２しきい値比較部と、を備え、
前記第２しきい値比較部が、前記第３音量値は前記しきい値未満であると判断した場合は、前記第１音量値記憶制御部と、前記第２音量値記憶制御部と、が制御を実行することを特徴とした、請求項１〜３のいずれかに記載の通話装置。
【発明の詳細な説明】
【技術分野】
【０００１】
本発明は、通話装置に関するものである。
【背景技術】
【０００２】
従来から、ユーザの顔側に向けられる操作部の上側にスピーカ、下側にマイクロホンが設けられている通話装置が知られている。この種の通話装置に関し、特許文献１には、上部筐体２の上側にスピーカ６、下部筐体４の下側に２つのマイクロホン８ａ、８ｂが左右並列に設けられている携帯電話機１が開示されている。
【先行技術文献】
【特許文献】
【０００３】
【特許文献１】特開２００８−２２７７７５
【発明の概要】
【発明が解決しょうとする課題】
【０００４】
しかしながら、上述した携帯電話１を含め、装置本体の上側にスピーカ、下側にマイクロホンが設けられている通話装置では、特に、上下のデザインが対象である場合や、暗闇で使用する場合には、どちらが上側でどちらが下側なのかを特定しにくいことがあった。そのため、ユーザが通話装置を上下逆にした状態で通話を開始してしまうことがあった。
【０００５】
本発明は、上述した問題点を解決するためになされたものであり、向きを気にすることなく通話ができる通話装置を提供することを目的としている。
【課題を解決するための手段】
【０００６】
上記の目的を達成するための手段として、請求項１の発明に係る通話装置は、一側面の長手方向における一端側に設けられ、音声を集音する第１集音部と、前記一側面の長手方向における一端側に設けられ、音声を放音する第１放音部と、前記一側面の長手方向における他端側に設けられ音声を集音する第２集音部と、前記一側面の長手方向における他端側に設けられ音声を放音する第２放音部と、前記第１集音部および第２集音部が集音した前記音声の音量値を記憶する音量値記憶部と、前記第１集音部と前記第２集音部のうち一方を集音可能に設定する集音設定部と、前記第１放音部と前記第２放音部のうち一方を放音可能に設定する放音設定部と、前記集音設定部が前記第１集音部を集音可能に設定し、前記放音設定部が前記第２放音部を放音可能に設定した後、前記第１集音部が集音した前記音声の音量値である第１音量値を、前記音量値記憶部に記憶させるように、制御を実行する第１音量値記憶制御部と、前記集音設定部が前記第２集音部を集音可能に設定し、前記放音設定部が前記第１放音部を放音可能に設定した後、前記第２集音部が集音した前記音声の音量値である第２音量値を、前記音量値記憶部に記憶させるように、制御を実行する第２音量値記憶制御部と、前記第音量値記憶部が記憶した第１音量値と、第２音量値はどちらが大きいかを判断する音量値比較部と、前記音量値比較部が、前記第１音量値の方が前記第２音量値より大きいと判断した場合は、前記集音設定部に前記第１集音部を集音可能に、前記放音設定部に前記第２放音部を放音可能に、設定させる第１設定制御部と、前記音量値比較部が、前記第２音量値の方が前記第１音量値より大きいと判断した場合は、前記集音設定部に前記第２集音部を集音可能に、前記放音設定部が前記第１放音部を放音可能に、設定させる第２設定制御部、とを備えたことを特徴とする。
【０００７】
請求項２の発明は、請求項１に記載の通話装置において、第１しきい値を記憶する第１記憶部と、前記第１音量値と前記第２音量値の差である音量値差を算出する音量値差算出部と、前記音量値差が前記第１しきい値以上か否かを判断する第１しきい値比較部と、を備え、前記第１しきい値比較部が、前記音量値差は前記しきい値以上であると判断した場合は、前記音量値比較部が判断を行うことを特徴とする。
【０００８】
請求項３の発明は、請求項１または２に記載の通話装置において、前記集音設定部が設定した前記第１集音部または前記第２集音部を記憶し、前記放音設定部が設定した第１放音部または第２放音部を記憶する、設定情報記憶部と、通話が開始すると、前記設定情報記憶部が記憶した前記第１集音部または前記第２集音部を前記集音設定部に設定させ、前記設定情報記憶部が記憶した前記第１放音部または前記第２放音部を前記放音設定部に設定させる、第３設定制御部を備えることを特徴とする。
【０００９】
請求項４の発明は、請求項１〜３のいずれかに記載の通話装置において、第２しきい値を記憶する第２記憶部と、前記第１、または第２、または、第３設定制御部によって前記集音設定部及び前記放音設定部が設定をした後、前記集音設定部が集音可能に設定した前記第１集音部又は前記第２集音部が集音した前記音声の前記音量値である第３音量値が、前記第２しきい値以上か否かを判断する第２しきい値比較部と、を備え、前記第２しきい値比較部が、前記第３音量値は前記しきい値未満であると判断した場合は、前記第１音量値記憶制御部と、前記第２音量値記憶制御部と、が制御を実行することを特徴とする。
【発明の効果】
【００１０】
＜請求項１の発明＞
本発明によれば、第１集音部、第２集音部のそれぞれで音声が集音され、音量値の比較が行われる。そして、より音量値が大きい音声を集音した方の集音部が判断され、判断された集音部が集音可能に設定される。大きい音声が集音されなかった方の集音部と同じ側にある放音部が放音可能に設定される。そのため、ユーザは通話装置の向きを気にすることなく、通話を開始することができる。
【００１１】
＜請求項２の発明＞
本発明によれば、音量値差が第１しきい値以上であると判断された場合に、音量値比較部が判断を行うので、ユーザが発した音声が集音された場合のみ、音量比較部による判断が行われることになる。すなわち、音量値比較部が行う判断の信頼性が高くなる。
【００１２】
＜請求項３の発明＞
本発明によれば、前回の通話時に集音可能に設定されていた集音部と、放音可能に設定されていた放音部と、が記憶されており、通話が開始すると、記憶されている集音部を集音可能に、放音部を放音可能に設定する。ユーザが通話を終了した直後に、再度通話を開始する場合などは、前回の通話時と同じ向きに通話装置を持ち通話を開始することが多い。そのため、請求項３に記載の通話装置は、通話を開始する際の利便性を高くするという効果を奏する。
【００１３】
＜請求項４の発明＞
本発明によれば、一度集音部と放音部が設定された後も、設定された集音部から集音される音声の音量値が第２しきい値よりも大きいかが判断され、小さい場合は再度、第１集音部と、第２集音部で音声を取得される。そして、取得された音声の音量値に基づいて、集音可能にすると判断された集音部が集音可能に、放音可能にすると判断された放音部が放音可能に設定される。そのためユーザが通話途中で通話装置の上下を逆にしても、正常に通話を続けることができる。
【図面の簡単な説明】
【００１４】
【図１】（ａ）は携帯電話の外観斜視図であり、（ｂ）は携帯電話の外観正面図である。
【図２】携帯電話の電気的構成を示すブロック図である。
【図３】マイクとスピーカが設定される処理を示すフローチャートである（第１の実施形態）。
【図４】マイクとスピーカが設定される処理を示すフローチャートである（第２の実施形態）。
【図５】マイクとスピーカが設定される処理を示すフローチャートである（第３の実施形態）。
【発明を実施するための形態】
【００１５】
（第１の実施形態）
以下、本発明の好ましい実施形態について、図面を参照して説明する。図１に示す携帯電話１は、基地局１００を介して接続された相手側装置と通話可能な装置であり、特に、受話側と送話側の向きを気にすることなく通話することができるものである。
【００１６】
携帯電話１の筐体は偏平な箱状に形成されており、その一側面はユーザの顔側にむけられる操作面１ａとして形成されている。操作面１ａには、その中央部にＬＣＤ２がもうけられ、その一端側（図中上側）に第１孔３、第１孔３との間にＬＣＤ２を挟む他端側（図中下側）に第２孔４が穿設されている。尚、ＬＣＤ２、第１孔３、第２孔４を含む操作面１ａは、上下、左右対称にデザインされている。
【００１７】
ＬＣＤ２は、各種画像を表示するものであり、各種画像として、例えば「０」〜「９」の数字ボタン、電源ボタン、着信ボタン、発信ボタン等を表示する。また、このＬＣＤ２の表示面には、入力装置の一種であるタッチパネル５が配設されている。画像が表示されているＬＣＤ２の領域がユーザによって指で触られると、その領域に表示されている画像に対応する各処理が実行される。
【００１８】
第１孔３は、音声を放音または集音する孔であり、携帯電話１の内部には、第１スピーカ６ａ（図２参照）と、第２マイク７ａ（図２参照）と、が内蔵されている。
【００１９】
第２孔４は、音声を放音または集音する孔であり、携帯電話１の内部には、第２スピーカ６ｂ（図２参照）と、第１マイク７ｂ（図２参照）と、が内蔵されている。
【００２０】
第１マイク７ｂと、第２マイク７ａは、集音した音声を、アナログの電気信号に変換するものである。第１スピーカ６ａ、第２スピーカ６ｂは、入力されたアナログの電気信号に基づいて放音を行う。
【００２１】
尚、第２マイク７ａは、本発明の第１集音部、第２マイク７ａは本発明の第２集音部、第１スピーカ６ａは、本発明の第１集音部、第２スピーカ６ｂは本発明の第２集音部のことである。
【００２２】
図２は、携帯電話１の電気的構成を示すブロック図である。携帯電話１は、ＣＰＵ９、ＲＯＭ１０、ＲＡＭ１１、表示制御部１２、タッチ検出部１３、共用機８、第１音声制御部１５、第２音声制御部１６、第３スピーカ１７が、入出力ポート１８を介して互いに接続されている。
【００２３】
ＣＰＵ９は、ＲＯＭ１０や、ＲＡＭ１１に記憶される固定値やプログラム、或いは共用機８を介して送受信される各種データに従って、携帯電話１が有している各機能の制御や、入出力ポート１８と接続された各部を制御する。
【００２４】
ＲＯＭ１０は、携帯電話１で実行される制御プログラムなどを格納した書き換え不能なメモリである。
【００２５】
ＲＡＭ１１は、書き換え可能な揮発性のメモリであり、携帯電話１の各操作の実行時に各種データを一時的に記憶する。
【００２６】
表示制御部１２は、ＣＰＵ９からの指示に従って、ＬＣＤ２に各種画像を表示するように制御する。
【００２７】
タッチ検出部１３は、タッチパネル５がユーザによって触れられたとき、タッチされた領域の位置情報を取得する。
【００２８】
第２音声制御部１６は、接続制御部２０を介して第１マイク７ｂ、または第２マイク７ａに接続されている。そして、第１マイク７ａ、或いは第２マイク７ｂで集音された音声はアナログの電気信号として、接続制御部２０を介して第２音声制御部１６へ送られる。第２音声制御部１６はアナログの電気信号をＡ／Ｄ変換し、デジタルデータとしてから、さらにデジタルデータを所定の暗号鍵などで暗号化して暗号データを得る。デジタルデータには、例えば、音声の音量や音高などの情報が含まれている。暗号データは、入出力ポート１８を介して共用機８へ送られる。
【００２９】
第１音声制御部１５は、接続制御部１９を介して第１スピーカ６ａ、または第２スピーカ６ｂに接続されている。入出力ポート１８を介して共用機８から送られてきた暗号データを所定の暗号鍵で復号化してデジタルデータとし、さらにデジタルデータをＤ／Ａ変換し、アナログの電気信号を得る。得られたアナログの電気信号は接続制御部１９を介して、第１スピーカ６ａ、或いは第２スピーカ６ｂへ送られる。第１スピーカ６ａ、或いは第２スピーカ６ｂは送られてきたアナログの電気信号に基づいて、音声を放音する。
【００３０】
共用機８は、アンテナ１４と接続している。そして共用機８は第２音声制御部１６から送られてきた暗号データを変調し、アンテナを介して基地局へ送信する。さらに、共用機８は、アンテナ１４を介して基地局１００から受信した変調データを復調し、第１音声制御部１５へ送る。
【００３１】
第３スピーカ１７は、操作面１ａ（図１参照）と対向する側面に設置されており、予め定められた所定の音声を放音するものである。
【００３２】
接続制御部１９は、バスライン１９ａ、入出力ポート１８を介してＣＰＵ９に制御されているリレー回路である。接続制御部１９はＣＰＵの制御に従い、第１音声制御部１５から入力されたアナログの電気信号が第１スピーカ６ａと、第２スピーカ６ｂと、のいずれかに出力されるよう回路を接続する。尚、接続制御部１９は、本発明の放音設定部に該当する。
【００３３】
接続制御部２０は、バスライン２０ａ、入出力ポート１８を介してＣＰＵ９に制御されているリレー回路である。接続制御部２０はＣＰＵ９の制御に従い、第１マイクと７ｂ、或いは第２マイク７ａから送られてきたアナログの電気信号が第２音声制御部１６へ入力されるように回路を接続する。尚、接続制御部２０は、本発明の放音設定部に該当する。
【００３４】
通話が行われるときの携帯電話１の動作を説明する。携帯電話１は集音した音声をなんらかの信号として、相手側に送信する送話と、相手から送られてきた信号に基づき、音声を放音する受話を行う。ここでは、送話と、受話を行うときの携帯電話１の動作について順番に説明する。
【００３５】
送話を行うときの携帯電話１が行う動作について説明する。第１マイク７ｂ、或いは第２マイク７ａが、ユーザが発した音声を集音する。第２マイク７ａは、集音した音声をアナログの電気信号として、接続制御部２０を介して第２音声制御部１６へ送る。第２音声制御部１６は、送られてきたアナログの電気信号をＡ／Ｄ変換後、暗号化し、暗号データに変換する。暗号データは、入出力ポート１８を介して共用機８へ送られる。共用機８は、暗号データを変調し、アンテナ１４を介して基地局１００へ送信する。
【００３６】
受話を行うときに携帯電話１が行う動作について説明する。共用機８は、アンテナ１４を介して変調データを受信する。受信された変調データは、共用機８で復調され、暗号データとして第１音声制御部１５に送られる。第１音声制御部１５は、送られてきた暗号データを復号化後、Ｄ／Ａ変換して、アナログの電気信号にする。アナログの電気信号は、接続制御部１９を介して第１スピーカ６ａ、或いは第２スピーカ７ａに送られる。第１スピーカ６ａ或いは第２スピーカ７ａは、送られてきたアナログの電気信号に基づいて放音を行う。このように携帯電話が送話と受話を行うことで、ユーザは通話を行うことができる。
【００３７】
以下、フローチャートに沿って、第１の実施形態について説明する。図３は、音声を集音し、アナログの電気信号として第２音声制御部１６へ送るマイクと、アナログの電気信号が入力されるスピーカと、がそれぞれ選択され、接続される処理を示すフローチャートである。この処理は、携帯電話１を用いて通話が開始される場合に実行される。通話は、携帯電話１に着信があった場合と、携帯電話１から発呼した場合とのどちらによって開始されたものでもよい。
【００３８】
ＣＰＵ９は、接続制御部２０へ第２マイク７ａと、接続制御部１９へ第２スピーカ６ｂと、回路を接続するように指令する。ＣＰＵ９の指令を受けて、接続制御部２０は第２音声制御部１６と、接続制御部２０と、第２マイク７ａと、の回路を接続する。一方接続制御部１９は、第２スピーカ６ｂと、接続制御部１９と、第１音声制御部１５と、の回路を接続する（Ｓ３０１）。このように回路を接続したことで、第２マイク７ａからのアナログの電気信号は第２音声制御部１６へ送られる。そして、第１音声制御部１５からのアナログの電気信号は第２スピーカ６ｂへ送られる。このように回路を接続することを、第２マイク７ａ、第２スピーカ６ｂをオンにすると記述する。
【００３９】
第２マイク７ａから送られたアナログの電気信号は、第２音声制御部１６でＡ／Ｄ変換され、デジタルデータとなる。ＣＰＵ９は、このデジタルデータから音量値を抽出し、ＲＡＭ１１に記憶する（Ｓ３０２）。また、音量値は、Ａ／Ｄ変換前のアナログの電気信号から音量を示す情報が抽出され、数値化されたものでも、Ａ／Ｄ変換後のデジタルデータから取得されたものでもよい。
【００４０】
ＣＰＵ９は、接続制御部２０へ第１マイク７ｂと、接続制御部１９へ第１スピーカ６ａと、回路を接続するように指令する。ＣＰＵ９の指令を受けて、接続制御部２０は、第２音声制御部１６と、接続制御部２０と、第１マイク７ｂと、の回路を接続する。一方接続制御部１９は、第１スピーカ６ａと、接続制御部１９と、第１音声制御部１５と、の回路を接続する（Ｓ３０３）。このように回路を接続したことで、第１マイク７ｂからのアナログの電気信号は第２音声制御部１６へ送られる。そして、第１音声制御部１５からのアナログの電気信号は第１スピーカ６ａへ送られる（Ｓ３０３）。このように回路を接続することを、第１マイク７ｂ、第１スピーカ６ａをオンにすると記述する。
【００４１】
Ｓ３０３に示すように回路を接続したことで、第１マイク７ｂが音声を集音することになる。そこで、ＣＰＵ９は、第２音声制御部１６から第１マイク７ｂに集音された音声の音量値を取得し、ＲＡＭ１１に記憶する（Ｓ３０４）。もちろん、音量値は段落００２９で述べたどちらの方法で得られたデータでもよい。
【００４２】
尚、Ｓ３０２、Ｓ３０４におけるＲＡＭ１１は、本発明の音量値記憶部に該当する。そして、Ｓ３０２でＲＡＭ１１に記憶された音量値は、第１音量値に、Ｓ３０４でＲＡＭ１１に記憶された音量値は第２音量値にそれぞれ該当する。さらに、Ｓ３０１、Ｓ３０２のフローを行う際のＣＰＵ９は、第１音量値記憶制御部に該当し、Ｓ３０３、Ｓ３０４のフローを行う際のＣＰＵ９は、第２音量値記憶制御部に該当する。
【００４３】
これまでのステップで、ＲＡＭ１１には、第１マイク７ｂに集音された音声の音量値と、第２マイク７ａに集音された音声の音量値の両方が記憶されたことになる。ＣＰＵ９は、ＲＡＭ１１に記憶された２つの音量値のより大きい値とより小さい値の差を計算する（Ｓ３０５）。尚、Ｓ３０５におけるＣＰＵ９は、本発明の音量値差算出部に該当し、このとき算出される差が、本発明の音量値さに該当する。
【００４４】
ＣＰＵ９は、Ｓ３０５で計算した音量値の差がしきい値以上か否かを判断する（Ｓ３０６）。尚、しきい値は、例えば「６０ｄＢ」、などのような数値として予めＲＯＭ１０に記憶されている。尚、Ｓ３０６におけるＣＰＵは、本発明の第１しきい値比較に該当し、このときに用いるしきい値が本発明の第１しきい値に該当する。さらに、このしきい値を記憶しているＲＯＭ１０が、第１記憶部に該当する。
【００４５】
音量値の差がしきい値未満の場合は（Ｓ３０７・Ｎｏ）、Ｓ３１１へ進む。
【００４６】
Ｓ３１１で、ＣＰＵ９は、通話が終了したか否かを判断する（Ｓ３１１）。通話が終了したと判断した場合は（Ｓ３１１・Ｙｅｓ）、この処理を終了する。一方通話が終了していないと判断した場合は（Ｓ３１１・Ｎｏ）、このフローチャートの最初の、Ｓ３０１に戻る。
【００４７】
音量値の差がしきい値以上の場合は（Ｓ３０６・Ｙｅｓ）、Ｓ３０７へ進む。
【００４８】
Ｓ３０７で、ＣＰＵ９は、第２マイク７ａで集音された音声の音量値の方が、第１マイク７ｂで集音された音声の音量値より大きいか否かを判断する（Ｓ３０７）。
【００４９】
第２マイク７ａで集音された音声の音量値の方が、より大きい場合は（Ｓ３０７・Ｙｅｓ）、Ｓ３０８へ進む。
【００５０】
Ｓ３０８でＣＰＵ９は、接続制御部１９へ第２マイク７ａと、接続制御部２０へ第２スピーカ６ｂと、回路を接続するように指令する。ＣＰＵ９からの指令を受けて、接続制御部２０は第２マイク７ａをオンに、接続制御部１９は第２スピーカ６ｂをオンにする（Ｓ３０８）。そして、Ｓ３０９へ進む。尚、Ｓ３０８におけるＣＰＵ９が、本発明の第１設定制御部に該当する。
【００５１】
一方、第１マイク７ｂで集音された音声信号の音量値の方が、より大きい場合は（Ｓ３０７・Ｎｏ）、Ｓ３０９へ進む。Ｓ３０７・Ｎｏの場合に、Ｓ３０９へ直接進む理由は、Ｓ３０５で、接続制御部２０、接続制御部１９が、第１マイク７ｂ、第１スピーカ６ａをオンにしているからである。そのため、本発明の第２設定制御部が行う処理はＳ３０７から、Ｓ３０９へ直接進む際のＣＰＵ９に該当する。
【００５２】
再び、ＣＰＵ９は第２音声制御部１６から、マイクに集音された音声の音量値を取得し、ＲＡＭ１１に記憶する（Ｓ３０９）。音声が集音されるマイクは、前のステップのＳ３０７でＹｅｓであった場合は、第２マイク７ａであるし、Ｎｏであった場合は、第１マイク７ｂである。尚、このときＲＡＭ１１に記憶される音声が、本発明の第３音量値に該当する。
【００５３】
続いて、ＣＰＵ９は、Ｓ３０９でＲＡＭ１１に記憶された音量値が、しきい値以上か否かを判断する（Ｓ３１０）。このしきい値はＳ３０６で使用したものである。また、異なる値をさらにＲＯＭ１０に記憶し使用する構成でもよい。尚、この際に用いるしきい値が、本発明の第２しきい値に、そして、このしきい値を記憶しているＲＯＭ１０が、第２記憶部に該当する。さらに、Ｓ３１０におけるＣＰＵ９が第２しきい値比較部に該当する。
【００５４】
音量値がしきい値以上と判断した場合は（Ｓ３１０・Ｙｅｓ）、再度Ｓ３０９へもどり、音量値を取得する。そしてＳ３１０へ進み、取得した音量値がしきい値以上か否か判断を行う。
【００５５】
音量値がしきい値未満と判断した場合は（Ｓ３１０・Ｎｏ）、Ｓ３１１へ進む。ＣＰＵ９は、通話が終了したか否かを判断する（Ｓ３１１）。通話が終了した場合は（Ｓ３１１・Ｙｅｓ）、この処理を終了する。一方通話が終了していない場合は（Ｓ３１１・Ｎｏ）、このフローチャートの最初に戻る。
【００５６】
また、Ｓ３０１〜Ｓ３０４を、Ｓ３０３、Ｓ３０４、Ｓ３０１、Ｓ３０２の順に行っても良い。この場合は、Ｓ３０７で、Ｙｅｓである場合に直接Ｓ３０９へ進む。そして、Ｎｏである場合に、Ｓ３０８へ進む。さらに、Ｓ３０８は、第１マイク７ｂ、第１スピーカ６ａをオンにするステップになる。そして、Ｓ３０８におけるＣＰＵ９が、本発明の第２設定制御部、Ｓ３０７からＳ３０９へ直接進む際のＣＰＵ９が本発明の第１の設定制御部に該当する。
【００５７】
このように携帯電話１では、第１マイク７ｂ、第２マイク７ａのそれぞれで音声が集音され、音量値の比較が行われる。そして、より音量値が大きい音声を集音した方のマイクが判断され、判断されたマイクから送られてきたアナログの電気信号が、第２音声制御部１６へ送られるように回路が接続される。大きい音声が集音されなかった方のマイクと同じ側に内蔵されたスピーカへアナログの電気信号が送られるように回路が接続される。そのため、ユーザは携帯電話の上下を気にすることなく、通話を開始することができる。
【００５８】
また、一度マイクとスピーカを設定した後も、設定したマイクから集音される音声の音量値がしきい値よりも大きいか判断し、小さい場合は再度マイクとスピーカの設定を行う。そのためユーザが通話途中で携帯電話１の上下を逆にしても、正常に通話を続けることができる。
【００５９】
（第２の実施形態）
次に、第２の実施形態について説明する。外観斜視図、外観正面図、電気構成を示すブロック図は第１の実施形態と同様であり、処理を示すフローチャートのみが、異なる。具体的には、第１の実施形態では、ＣＰＵ９は、通話が開始してから終了するまで、マイクとスピーカの設定を繰り返し変更する。一方、第２の実施例では、ＣＰＵ９は、一度マイクとスピーカをオンに設定すると、通話が終了するまでその設定を維持する。この処理が開始されるタイミングについては、第１の実施形態と同様である。以下図４を参照し、説明する。
【００６０】
Ｓ４０１〜Ｓ４０６は、第１の実施形態のＳ３０１〜Ｓ３０６と、同様である。さらにＳ４０７は、Ｓ３１１と、Ｓ４０８はＳ３０７と、Ｓ４０９はＳ３０８と同様である。そのため説明を省略する。
【００６１】
Ｓ４０９からＳ４１０に進むと、Ｓ４１０では、ＣＰＵ９は通話が終了したか否かを判断する（Ｓ４１０）。通話が終了していないと判断した（Ｓ４１０・Ｎｏ）場合は、再びＳ４１０で判断を繰り返す。そして通話が終了したと判断した（Ｓ４１０・Ｙｅｓ）場合は、この処理を終了する。
【００６２】
このように、第２の実施形態では、第１マイク７ｂ、第２マイク７ａのそれぞれで音声が集音され、音量値の比較が行われる。そして、より音量値が大きい音声を集音した方のマイクが判断され、判断されたマイクから送られてきたアナログの電気信号が、第２音声制御部１６へ送られるように回路が接続される。大きい音声が集音されなかった方のマイクと同じ側に内蔵されたスピーカへアナログの電気信号が送られるように回路が接続される。そのため、ユーザは携帯電話の上下を気にすることなく、通話を開始することができる。
【００６３】
（第３の実施形態）
次に、第３の実施形態について説明する。外観斜視図、外観正面図、電気構成を示すブロック図は第２の実施形態と同様であり、処理を示すフローチャートのみが、異なる。具体的には、前回の通話時にオンにしていたマイクとスピーカをＲＡＭに記憶しており、ＲＡＭに記憶した内容を読み込む。そして、処理の初期段階では、前回の通話時にオンにしていたマイクとスピーカをオンにする点が、第２の実施形態と異なる。この処理が開始されるタイミングについては、第２の実施形態と同様である。以下、図５を参照し説明する。
【００６４】
ＣＰＵ９は、ＲＡＭ１１に記憶されている前回の通話時の設定情報を読み込む（Ｓ５０１）。この設定情報とは、前回の通話の際、第２マイク７ａ、第１マイク７ｂのうちどちらをオンに設定していたか、第１スピーカ６ａ、第２スピーカ６ｂのうちどちらをオンに設定していたかを示す情報である。
【００６５】
次にＳ５０２へ進む。Ｓ５０２で、ＣＰＵ９は、前回の通話時の設定情報がＲＡＭ１１に記憶されているか否かを判断する（Ｓ５０２）。
【００６６】
Ｓ５０２で前回の通話時の設定情報が記憶されていないと判断した場合（Ｓ５０２・Ｎｏ）、Ｓ５０４に進む。一方、Ｓ５０２で前回の通話時の設定情報が記憶されていると判断した場合（Ｓ５０２・Ｙｅｓ）、Ｓ５０３へ進む。
【００６７】
Ｓ５０３で、ＣＰＵ９は、前回の通話時に、第２マイク７ａと、第２スピーカ６ｂと、がオンであったか否かを判断する（Ｓ５０３）。第２マイク７ａと、第２スピーカ６ｂと、がオンであったと判断した場合は（Ｓ５０３・Ｙｅｓ）、Ｓ５０４へ進み、一方、第１マイク７ｂ、第１スピーカ６ａがオンであったと判断した場合は（Ｓ５０３・Ｎｏ）、Ｓ５０６へ進む。
【００６８】
Ｓ５０４では、ＣＰＵ９から指令を受けて、接続制御部２０、接続制御部１９が、第２マイク７ａ、第２スピーカ６ｂをオンにする（Ｓ５０４）。そしてＳ５０５へ進む。
【００６９】
Ｓ５０５では、ＣＰＵ９が、第２マイク７ａに集音された音声の音量値を、第２音声制御部１６から取得し、ＲＡＭ１１に記憶する（Ｓ５０５）。そしてＳ５０８に進む。
【００７０】
Ｓ５０６では、ＣＰＵ９から指令を受けて、接続制御部２０、接続制御部１９が、第１マイク７ｂ、第１スピーカ６ａをオンにする（Ｓ５０６）。そしてＳ５０７へ進む。
【００７１】
Ｓ５０７では、ＣＰＵ９が、第１マイク７ｂに集音された音声の音量値を、第２音声制御部１６から取得し、ＲＡＭ１１に記憶する（Ｓ５０７）。そしてＳ５０８に進む。
【００７２】
Ｓ５０８で、ＣＰＵ９は、ＲＡＭ１１に記憶された音量値が、しきい値以上であるか否かを判断する（Ｓ５０８）。ＲＡＭ１１に記憶された音量値とは、ひとつ前のステップ（Ｓ５０５、或いは、Ｓ５０７）で記憶された音量値のことである。また、しきい値は、第１の実施形態、第２の実施形態と同様に、「６０ｄＢ」、などのような数値として、予めＲＯＭ１０に記憶されている。ＲＡＭ１１に記憶されている音量値がしきい値以上であると判断した場合は（Ｓ５０８・Ｙｅｓ）、Ｓ５０９へ進む。そして、ＲＡＭ１１に記憶されている音量値がしきい値未満であると判断した場合は（Ｓ５０８・Ｎｏ）、Ｓ５１１へ進む。
【００７３】
Ｓ５０９で、ＣＰＵは、現在オンになっているのは、どちらのマイクとスピーカであるかをＲＡＭ１１に記憶する（Ｓ５０９）。ここでＲＡＭ１１に記憶された情報は、次回の処理実行時のＳ５０１で読み込まれる。そしてＳ５１０へ進む。
【００７４】
Ｓ５１０で、ＣＰＵ９は通話が終了したか否かを判断する（Ｓ５１０）。そして通話が終了したと判断した場合は（Ｓ５１０・Ｙｅｓ）、この処理を終了し、通話が終了していないと判断した場合は（Ｓ５１０・Ｎｏ）、Ｓ５１０へもどり判断を繰り返す。
【００７５】
一方Ｓ５１１では、ＣＰＵが、通話が終了したか否かを判断する（Ｓ５１１）。ここで通話が終了したと判断した場合は（Ｓ５１１・Ｙｅｓ）、この処理を終了する。一方、通話が終了していないと判断した場合は（Ｓ５１１・Ｎｏ）、Ｓ５１２へ進む。Ｓ５１２〜Ｓ５１６は、第２の実施形態のＳ４０１〜Ｓ４０５と同様であるため、説明を省略する。
【００７６】
Ｓ５１６の後はＳ５１７に進む。Ｓ５１７において、ＣＰＵ９は、Ｓ５１６で計算した音量値の差が、しきい値以上か否かを判断する（Ｓ５１７）。しきい値は、予めＲＯＭに記憶されている。そしてＳ５０８で用いたしきい値と同じ値である。尚、Ｓ５０８とは異なる値とする構成でもよい。しきい値以上と判断した場合は（Ｓ５１７・Ｙｅｓ）、Ｓ５１８に進む。一方、しきい値未満と判断した場合は（Ｓ５１７・Ｎｏ）、再度Ｓ５１１へ進む。
【００７７】
Ｓ５１８では、ＣＰＵ９は、第２マイク７ａで集音された音声の音量値の方が、第１マイク７ｂで集音された音声の音量値より大きいか否かを判断する（Ｓ５１８）。
【００７８】
第２マイク７ａで集音された音声の音量値の方が、より大きい場合は（Ｓ５１８・Ｙｅｓ）、Ｓ５１９へ進む。一方、第１マイク７ｂで集音された音声の音量値の方が、より大きい場合は（Ｓ５１８・Ｎｏ）、Ｓ５０９へ進む。
【００７９】
Ｓ５１９において、ＣＰＵ９からの指令を受けて、接続制御部２０は第２マイク７ａをオンに、接続制御部１９は第２スピーカ６ｂをオンにする（Ｓ５１９）。そして、Ｓ５０９に進む。Ｓ５１８・Ｎｏの場合に、Ｓ５０９へ直接進む理由は、Ｓ５１４で、接続制御部２０、接続制御部１９が、第１マイク７ｂ、第１スピーカ６ａをオンにしているからである。
Ｓ５０９以降の処理は前述した通りである。
【００８０】
また、Ｓ５０２において、ＣＰＵが、前回の通話時の設定情報が記憶されていないと判断した場合（Ｓ５０２・Ｎｏ）、Ｓ５０４へ進まず、Ｓ５１２へ進む構成としても良い。尚、Ｓ５０９におけるＲＡＭ１１が、本発明の設定情報記憶部に該当する。そして、Ｓ５０２において、前回の状態が記憶されている（Ｓ５０２・Ｙｅｓ）と判断した後に、Ｓ５０４、或いはＳ５０６でＲＡＭ１１に記憶されているマイクとスピーカをオンにする際のＣＰＵ９が、第３設定制御部に該当する。
【００８１】
このように携帯電話１では、第１マイク７ｂ、第２マイク７ａのそれぞれで音声が集音され、音量値の比較が行われる。そして、より音量値が大きい音声を集音した方のマイクが判断され、判断されたマイクから送られてきたアナログの電気信号が、第２音声制御部１６へ送られるように回路が接続される。大きい音声が集音されなかった方のマイクと同じ側に内蔵されたスピーカへアナログの電気信号が送られるように回路が接続される。
【００８２】
さらに、第３の実施形態では、前回の通話時にオンにしていたマイクとスピーカをＲＡＭに記憶しており、ＲＡＭに記憶した内容を読み込む。そして、処理の初期段階では、前回の通話時にオンにしていたマイクとスピーカをオンにする。ユーザが通話を終了した直後に、再度通話を開始する場合などは、前回の通話時と同じ向きに携帯電話１を持ち通話を開始することが多い。また、ユーザが、ＬＣＤ２に表示される表示内容の向きに従って、携帯電話１を持ち、通話を開始することが多い場合も、前回の通話時と同じ向きに形態電話１を持ち通話を開始することが多い。そのため、第３の実施形態の携帯電話１は、通話を開始する際の利便性が高くするという効果を奏する。
【００８３】
本実施形態では、本発明の通話装置として、携帯電話１について説明したが、携帯電話１に限られず、コードレスの受話器と、本体と、を備える電話機にも、適用可能である。この電話機では、受話器が、本体とアンテナ１４を介してデータを送受信する。さらに、本体が、受話器から送受信したデータを、本体に内蔵されているＮＣＵを介して電話回線網との間で送受信する。
【００８４】
また、しきい値の一例として、６０ｄＢを用いたが、異なる値であってもよい。さらに、しきい値の候補として複数の選択肢を設け、その中からユーザが所望の値を選択できる構成にしてもよい。
【００８５】
本実施形態では、第１音声制御部１５が、暗号データの複合化、およびＤ／Ａ変換を行い、第２音声制御部１６が、Ａ／Ｄ変換及びデジタルデータの暗号化を行う構成であった。しかし、第１音声制御部１５が、Ｄ／Ａ変換を、第２音声制御部１６がＡ／Ｄ変換を行い、共用機８がデジタルデータの暗号化、および複合化を行う構成としてもよい。
【００８６】
本実施形態では接続制御部１９、接続制御部２０をリレー回路としていたが、ＡＳＩＣのような集積回路を用いてもよい。その場合、接続制御部１９と第１音声制御部１５、そして接続制御部２０と第２音声制御部１６をひとつの集積回路とすることも可能である。
【００８７】
本実施形態では、接続制御部１９、オンにするマイク６を切り換えていた。しかし、マイク６と、ＣＰＵ９との間で切り換えが行われる構成であれば、本発明の適用範囲である。例えば、第１マイク７ｂ、第２マイク７ａのそれぞれが、オン、オフを切換える接続制御部を有しており、ＣＰＵ９が直接第１マイク７ｂ、第２マイク７ａを制御する構成でもよい。また、ハウリングなどが起こることを考慮すると、現実的ではないが、次のような厚生も考えられる。第１マイク７ｂで集音された音声と、第２マイク７ａで集音された音声と、の両方が、同じタイミングで第２音声制御部１６まで送られる。ＣＰＵ９が一方のマイク７で集音された音声のみを選択して取得する。他にも、ＣＰＵ９が、同じタイミングで両方のマイク７から集音された音声の暗号データを取得し、一方のマイクで集音された音声のみを処理対象とする構成でもよい。
【符号の説明】
【００８８】
１            携帯電話
１ａ          操作面
６ａ          第１スピーカ
６ｂ          第２スピーカ
７ｂ          第１マイク
７ａ          第２マイク
【図１】
2011205289.tif 000003
【図２】
2011205289.tif 000004
【図３】
2011205289.tif 000005
【図４】
2011205289.tif 000006
【図５】
2011205289.tif 000007